(57)【要約】      （修正有）【課題】配線接続作業の作業性を格段に高められるようにした配線接続構造を提供する。【解決手段】レバー１２を固定具５の挿通孔４に配線端部Ｗを挿通できる位置に固定具５を押し込む牽制位置に牽制部材２０で牽制する。作業者が配線端部Ｗをケース１に挿入口２から所定の深さまで差込むだけで、配線端部Ｗで解除部材２１を介して牽制部材２０をレバー１２の回転中心から遠くに離れさせることにより牽制を解除し、戻しバネ兼押えバネ２３によりレバー１２を非牽制位置に復帰させる。これに伴い自然状態に復帰しようとする付勢手段７により固定具５を介して配線端部Ｗが挿入口２の周面に押えつけられて固定される。【選択図】図１
2005293869.tif 000002
【特許請求の範囲】
【請求項１】
ケースの一側壁に形成された挿入口とケース内の端子の間に上記挿入口の軸心と交差する方向に移動可能に設けられ、配線端部が挿通される挿通孔を有する固定具と、この固定具を挿通孔に配線端部を挿通できる位置から挿通できない位置に付勢する付勢手段と、この付勢手段に抗して上記固定具を挿通孔に配線端部を挿通できない位置から挿通できる位置に移動させるために操作されるレバーを備えると共に、上記レバーが上記固定具を挿通孔に配線端部を挿通できる位置に牽制する牽制位置と上記固定具を挿通孔に配線端部を挿通できない位置に復帰することを許容する非牽制位置とにわたって移動可能に設けられ、該レバーを牽制位置から非牽制位置に付勢する戻しバネを備える配線接続構造において、
牽制位置に位置する上記レバーを上記戻しバネに抗して牽制部材を介して牽制位置に押圧する押えバネと、上記挿入口から端子よりも深い所定の位置まで挿入された配線端部に押されて上記押えバネに抗して上記牽制部材の牽制を解除し、上記レバーを非牽制位置に復帰させる解除部材を備えることを特徴とする配線接続構造。
【請求項２】
上記戻しバネと押えバネが一体物からなることを特徴とする請求項１に記載の配線接続構造。
【発明の詳細な説明】
【技術分野】
【０００１】
本発明は、外部配線をケース内の電気回路に接続するためにケース内に設けられる配線接続構造に関する。
【背景技術】
【０００２】
図３と図４の側面図に示すように、従来の配線接続構造１００では、ケース１０１の一側壁に形成された挿入口１０２とケース１０１内の端子バネ１０３の間に固定具１０５が上記挿入口１０２の軸心と交差する方向に移動可能に設けられる。
【０００３】
この固定具１０５には挿入口１０２から差込まれた外部配線の端部（以下、配線端部という。）が挿通される挿通孔１０４が形成され、この固定具１０５は、図４に示すように挿通孔１０２に配線端部を挿通できる位置から、図３に示すように挿通できない位置に付勢手段１０６で付勢されている。
【０００４】
また、配線接続構造１００には、付勢手段１０６に抗して上記固定具１０５を挿通孔１０４に配線端部を挿通できない位置から挿通できる位置に移動させるために操作されるレバー１０７が設けられる。
【０００５】
上記レバー１０７は、回転中心軸１０８を介して上記ケース１０１に図４に示すように上記固定具１０５を挿通孔１０４に配線端部を挿通できる位置に牽制する牽制位置と、図３に示すように上記固定具１０５を挿通孔１０４に配線端部を挿通できない位置に復帰することを許容する非牽制位置とにわたって回転可能に支持される。
【０００６】
上記レバー１０７は戻しバネ１０９により牽制位置から非牽制位置に付勢され、上記レバー１０７を牽制位置に位置させると、上記固定具１０５と付勢手段１０６を連結する湾曲部１１０が上記レバー１０７に形成されたノッチ１１１に嵌り込まれて、牽制位置に位置決めされる。
【０００７】
そして、上記レバー１０７を牽制位置に位置させた状態で配線端部を挿入口１０２からその先端が端子バネ１０３よりも奥の所定の位置に達するまで差込み、この後、上記レバー１０７を非牽制位置の方向に操作して位置決めを解除すると、上記レバー１０７が戻しバネ１０９によって非牽制位置に押倒されるとともに、配線端部が端子バネ１０３により端子１１２に圧接された状態で固定される。
【０００８】
なお、上記先行技術は、文献公知発明に係るものではないため、記載すべき先行技術文献情報はない。
【発明の開示】
【発明が解決しようとする課題】
【０００９】
この従来の配線接続構造によれば、配線端部を所定の深さまで差込んだ後、上記レバー１０７の位置決めを解除するためにレバー１０７を操作することが必要であり、又、レバー１０７が牽制位置から非牽制位置に戻るまでの間に配線が端子バネ１０３よりも挿入口１０２側に移動することを防止するために、配線を差込んだまま保持する必要があるので、片手で配線を接続することができず、作業性が悪いという課題がある。
【００１０】
本発明は、この従来技術の課題を解決し、配線接続の作業性が高められるようにした配線接続構造を提供することを目的とする。
【課題を解決するための手段】
【００１１】
本発明に係る配線接続構造は、上記目的を達成するため、以下の技術的手段を採用する。
【００１２】
先ず、ケースの一側壁に形成された挿入口とケース内の端子の間に上記挿入口の軸心と交差する方向に移動可能に設けられ、配線端部が挿通される挿通孔を有する固定具を備える。
【００１３】
又、この固定具を挿通孔に配線端部を挿通できる位置から挿通できない位置に付勢する付勢手段と、この付勢手段に抗して上記固定具を挿通孔に配線端部を挿通できない位置から挿通できる位置に移動させるために操作されるレバーを備える。
【００１４】
更に、上記レバーが上記固定具を挿通孔に配線端部を挿通できる位置に牽制する牽制位置と上記固定具を挿通孔に配線端部を挿通できない位置に復帰することを許容する非牽制位置とにわたって移動可能に設けられ、該レバーを牽制位置から非牽制位置に付勢する戻しバネを備える。
【００１５】
又更に、牽制位置に位置する上記レバーを上記戻しバネに抗して牽制部材を介して牽制位置に押圧する押えバネと、上記挿入口から端子よりも深い所定の位置まで挿入された配線端部に押されて上記押えバネに抗して上記牽制部材の牽制を解除し、上記レバーを非牽制位置に復帰させる解除部材を備えることを特徴とする。
【００１６】
これによれば、挿入口から配線端部を所定の位置まで差込むと、配線端部が解除部材を押えバネに抗して押し込み、解除部材が上記牽制部材を上記レバーから離隔させる。そして、牽制部材を上記レバーから離隔させることにより戻しバネに対抗する付勢力が解除されるので、上記レバーは戻しバネに付勢されて牽制位置から非牽制位置に復帰する。
【００１７】
上記レバーが牽制位置から非牽制位置に復帰すると、付勢手段により固定具が配線端部を挿通できない位置に向かって付勢されるが、挿通孔には現に配線端部が挿通されているので、固定具の挿通孔の周縁と挿入口の周面との間に配線端部が瞬時に挟まれるときに、付勢手段の付勢力によって配線端部が挿入口の周面に押付けられ、これにより配線端部が瞬時に配線接続構造に固定されることができる。
【００１８】
つまり、作業者が上記レバーを牽制位置に移動させた後、片手で配線端部を所定の深さまで差込むと、自動的に上記レバーが非牽制位置に復帰すると共に、配線端部が配線接続構造に固定されるので、配線接続作業の作業性が格段に高められることになる。
【発明の効果】
【００１９】
以上に説明したように、本発明によれば、作業者が上記レバーを牽制位置に移動させた後、片手で配線端部を所定の深さまで差込むと、自動的に、瞬時に上記レバーが非牽制位置に復帰すると共に、配線端部が配線接続構造に固定されるので、配線接続作業の作業性が格段に高められる効果を得ることができる。
【発明を実施するための最良の形態】
【００２０】
本発明を実施するための最良の形態を図面に基づいて具体的に説明すると、以下の通りである。
【００２１】
図１は、本発明の一実施例に係る配線固定構造の側面図である。なお、本明細書に記述する上下左右の方向は、図面に矢印で示す方向である。
【００２２】
図１に示すように、この配線固定構造は、例えば合成樹脂からなるケース１の一端面に開口させた挿入口２から上記ケース１内に配置された端子バネ３よりも深い所定の深さまで裸にされた配線端部Ｗを直線的に差込んで固定するために以下の如くに構成される。
【００２３】
即ち、ケース１の一側壁に形成された挿入口２とケース１内の端子バネ３の間に上記挿入口２の軸心と交差する方向に移動可能に設けられ、配線端部Ｗが挿通される挿通孔４を有する固定具５が設けられる。又、この固定具５の上端は湾曲部６を介して倒Ｖ字形に曲げられた付勢手段７の上辺部８に連続させている。
【００２４】
この付勢手段７の下辺部９は、ケース１に形成されたバネ座１０と端子１１との間に差込むことによりケース１に保持され、ケース１の挿入口２からみて奥側で上辺部８と円滑に連続させてある。又、この下辺部９の先端部を上記挿通孔４に挿通して上記固定具５の昇降をこの下辺部９の先端部で案内するようにしている。
【００２５】
更に、この付勢手段７は、図１に実線で示す自由状態では、挿通孔４が挿入口２の上方に位置して挿通孔４に配線端部Ｗを挿通できない位置に上記固定具５を保持し、図２に示すように上辺部８と下辺部９の挟角が小さくなるように変形させると、上記挿入口２の軸心方向への挿入口２の投影全体が挿通孔４の投影内に位置して挿通孔４に配線端部Ｗを挿通できる位置まで上記固定具が移動する。
【００２６】
上記固定具５及び湾曲部６の上方に、この付勢手段７に抗して上記固定具５を挿通孔４に配線端部Ｗを挿通できない位置から挿通できる位置に移動させるために操作されるレバー１２が設けられる。
【００２７】
このレバー１２は該レバー１２をケース１に回転自在に支持させる回転中心軸１３と一体に形成され、この回転中心軸１３からケース１外に突出させた操作部１４と、回転中心軸１３を挟んでこの操作部１４と反対側に設けたカム部１５を備えている。
【００２８】
このレバー１２は、操作部１４が回転中心軸１３の左方に倒される非牽制位置と操作部１４が回転中心軸１３の上方に起こされる牽制位置とにわたって回転できるようにしてあり、非牽制位置では自由状態の付勢手段７に連続する湾曲部６よりもカム部１５がわずかに高く位置し、牽制位置ではカム部１５が付勢手段７に抗して湾曲部６を下方に押し下げ、上記固定具５を挿通孔４に配線端部Ｗを挿通できる位置に移動させる。
【００２９】
上記カム部１５には、回転中心軸１３の軸心方向の中央部に溝１６が形成され、回転中心軸１３から所定の距離を置いた位置にこの溝１６を横断するバネ受ピン１７が形成されている。
【００３０】
上記レバー１２、付勢手段７及び端子１１よりも奥側（図上、右側）にスィングアーム１８が配置される。このスィングアーム１８は、上記回転中心軸１３よりも上方に位置させた支持ピン１９を中心に、左右に所定の範囲内で自由に揺動できるように設けられる。このスィングアーム１８の中間部の上寄り部分に上記レバー１２のカム部１５に当接させる牽制部材２０が固定される。又、スィングアーム１８の下端部には挿入口２から差込んだ配線端部Ｗの先端面に対向させる解除部材２１が連続させてある。
【００３１】
上記ケース１にはスィングアーム１８よりも更に奥側にバネ支持ピン２２が設けられ、このバネ支持ピン２２につるまきバネからなる戻しバネ兼押えバネ２３が巻きつけられる。
【００３２】
この戻しバネ兼押えバネ２３の一端部２４は上記レバー１２をバネ受ピン１７を介して牽制位置から非牽制位置に付勢し、他端部２５は上記スィングアーム１８を介して牽制部材２０を上記レバー１２に押圧すると共に、上記解除部材２１を端子バネ３の奥端に受止めさせる。
【００３３】
図１及び図２に示すように、上記レバー１２のカム部１５には、該レバー１２が牽制位置に位置する時に、カム部１５の回転軸心から最遠点が移動する軌跡（図２に１点鎖線で示す。）よりも回転軸心側で、かつ、回転中心軸１３を挟んで操作部１４と反対側で上記牽制部材２０を受止める被牽制面２６が形成されている。
【００３４】
上記構成において、図２に示すように、作業者は、上記レバー１２を牽制位置に位置させることにより固定具５を挿通孔４に配線端部Ｗを挿通できる位置に位置させた状態で、配線端部Ｗを挿入口２からケース１内に差込む。
【００３５】
配線端部Ｗの先端が端子バネ３よりも深い所定の位置まで差込まれると、上記解除部材２１が戻しバネ兼押えバネ２３に抗して奥側に移動し、これに連動して牽制部材２０がレバー１２の回転軸心から最遠点以上に回転軸心から離隔する。これと同時に牽制部材２０によるレバー１２の牽制位置への牽制が解除され、レバー１２は瞬時に牽制位置から非牽制位置に移動し、付勢手段７は自由状態に戻ろうとする。
【００３６】
このとき、挿通孔４には配線端部Ｗが挿通されているので、付勢手段７は自由状態には戻らず、所定の付勢力で固定具５を介して配線端部Ｗを挿入口２の上周面と端子１１の下面に押付ける。そして、これにより生じる摩擦により配線端部Ｗは、端子１１に端子バネ３で圧接された状態で配線接続構造に固定される。
【００３７】
即ち、この実施例によれば、作業者が、レバー１２を非牽制位置から牽制位置に移動した後、片手で配線端部Ｗを挿入口２からケース１内の所定の深さまで差込むと同時にレバー１２が非牽制位置に自動復帰し、配線端部Ｗが端子バネ３により端子１１に圧接された状態で配線接続構造に固定されるので、配線接続の作業性を格段に高めることができる。
【００３８】
以上に説明した実施例では、牽制部材２０と解除部材２１が支持ピン１９を中心に所定の範囲内で回転するようにしているが、これら牽制部材２０と解除部材２１は直線的に進退するように設けてもよい。
【００３９】
又、この実施例では、部品点数を削減するために、レバー１２を牽制位置から非牽制位置に付勢する戻しバネと、牽制部材２０をレバー１２に押付ける押えバネの機能を兼備する戻しバネ兼押えバネ２３を用いるが、これに代えて、レバー１２を牽制位置から非牽制位置に付勢する戻しバネと、牽制部材２０をレバー１２に押付ける押えバネとの２個のバネを設けてもよい。
【産業上の利用可能性】
【００４０】
本発明はケース内の配線に外部配線を接続するためにケースに設けられる配線接続構造に利用される。
【図面の簡単な説明】
【００４１】
【図１】本発明の側面図である。
【図２】本発明の側面図である。
【図３】従来例の側面図である。
【図４】従来例の側面図である。
【符号の説明】
【００４２】
１  ケース
２  挿入口
３  端子
４  挿通孔
５  固定具
７  付勢手段
１２  レバー
２０  牽制部材
２１  解除部材
２３  戻しバネ兼押えバネ
【図１】
2005293869.tif 000003
【図２】
2005293869.tif 000004
【図３】
2005293869.tif 000005
【図４】
2005293869.tif 000006